(57)【要約】【課題】光ピックアップの位置を検出する反射型フォトセンサに安定した動作を行なわせ且つ組立工程を簡略化した光ディスク装置を提供する。【解決手段】シャーシ１１と、シャーシ１１に配設され、装着された光ディスクの径方向に移動して、当該光ディスクの情報記録面に対し、信号の記録、再生の少なくとも一方を行う光ピックアップ１３と、シャーシ１１に配設され、発光部２６と受光部２６を有する反射型フォトセンサ１５と、光ピックアップ１３に配設され、光ピックアップ１３の移動に応じて、発光部２５から照射された光を反射して受光部２６に入射させる反射部２１と、シャーシ１１の反射型フォトセンサ１５と対向する位置に配設された黒色部材１６とを有し、シャーシ１１には、モールド成形により形成されたモールド部が配設され、黒色部材１６を当該モールド部と一体的に形成した光ディスク装置である。【選択図】図３
2009259352.tif 000002
【特許請求の範囲】
【請求項１】
装着した光ディスクの情報記録面に対し、信号の記録、再生の少なくとも一方を行う光ディスク装置であって、
シャーシと、
前記シャーシに配設され、装着された光ディスクの径方向に移動して、当該光ディスクの情報記録面に対し、信号の記録、再生の少なくとも一方を行う光ピックアップと、
前記シャーシに配設され、発光部と受光部とを有する反射型フォトセンサと、
前記光ピックアップに配設され、当該光ピックアップの移動に応じて、前記発光部から照射された光を反射して前記受光部に入射させる反射部と、
前記シャーシの前記反射型フォトセンサと対向する位置に配設された黒色部材と、
を有し、
前記シャーシには、モールド成形により形成されたモールド部が配設されてなり、前記黒色部材は、当該モールド部と一体的に形成されてなる光ディスク装置。
【請求項２】
前記シャーシに配設され、前記光ピックアップを支持すると共に、当該光ピックアップの前記移動をガイドするガイド軸をさらに備え、
前記モールド部は、前記ガイド軸を保持するガイド軸保持部材である請求項１記載の光ディスク装置。
【請求項３】
前記モールド部は、前記シャーシに部品を固定する固定部材である請求項１記載の光ディスク装置。
【請求項４】
前記シャーシは、モールド成形により形成され、且つ前記モールド部と一体的に成形されてなる請求項１または請求項２記載の光ディスク装置。
【発明の詳細な説明】
【技術分野】
【０００１】
本発明は、装着した光ディスクの情報記録面に対し、信号の記録、再生の少なくとも一方を行う光ディスク装置に関する。
【背景技術】
【０００２】
従来、パーソナルコンピュータ等の据え置き型電子機器やノートブックパソコン、携帯型情報端末機器、携帯型映像装置等の携帯型電子機器等に好適に用いられる光ディスク装置は、光ディスクを装着するターンテーブルを有し、装着された光ディスクを回転駆動させるモータと、前記装着された光ディスクの径方向に移動して、当該光ディスクの情報記録面に対し、信号の記録、再生の少なくとも一方を行う光ピックアップと、この光ピックアップを移動させる光ピックアップ移動装置とを備えている。このような光ディスク装置では、移動する光ピックアップの位置を検出する様々な方法が提案されている。
【０００３】
例えば、メカシャーシに設けられた反射型フォトセンサと、光学ピックアップに設けられた反射機構とを有し、前記反射型フォトセンサは、発光素子と受光素子とが平板状に配列されて構成され、前記光学ピックアップが、光ディスクの最内周に位置するとき、前記発光素子の出力光が前記反射機構により反射されて上記受光素子に入射されることにより、前記光学ピックアップが、前記光ディスクの最内周に位置していることが検出されるようにした光ディスク装置が提案されている。（例えば、特許文献１参照）。
【特許文献１】特開２０００−６７４３７号公報
【発明の開示】
【発明が解決しようとする課題】
【０００４】
引用文献１に記載されたように、光学ピックアップに設けられた反射機構により反射された光を、メカシャーシに設けられた反射型フォトセンサで検知する場合、動作の安定化のため、はっきりとした明暗の区別を付ける必要がある。そこで、メカシャーシの反射型フォトセンサと対向する位置に、黒色のシート（黒色シート）を貼付ける工夫がなされている。
【０００５】
しかしながら、黒色シートをメカシャーシの所定位置に貼付ける作業は、手間がかかると共に、黒色シートの位置決めが困難である。また、黒色シートが経時的にメカシャーシから剥がれたり、所定位置からずれる等の虞もある。
【０００６】
本発明は、このような事情に鑑みなされたものであり、光ピックアップの位置を検出する反射型フォトセンサに安定した動作を行なわせることができ、且つ組立工程を簡略化することが可能な光ディスク装置を提供することを目的とする。
【課題を解決するための手段】
【０００７】
この目的を達成するため本発明は、装着した光ディスクの情報記録面に対し、信号の記録、再生の少なくとも一方を行う光ディスク装置であって、シャーシと、前記シャーシに配設され、装着された光ディスクの径方向に移動して、当該光ディスクの情報記録面に対し、信号の記録、再生の少なくとも一方を行う光ピックアップと、前記シャーシに配設され、発光部と受光部とを有する反射型フォトセンサと、前記光ピックアップに配設され、当該光ピックアップの移動に応じて、前記発光部から照射された光を反射して前記受光部に入射させる反射部と、前記シャーシの前記反射型フォトセンサと対向する位置に配設された黒色部材と、を有し、前記シャーシは、モールド成形により形成されたモールド部を有し、前記黒色部材は、当該モールド部と一体的に形成されてなる光ディスク装置を提供するものである。
【発明の効果】
【０００８】
本発明にかかる光ディスク装置は、光ピックアップの位置を検出する反射型フォトセンサに安定した動作を行なわせることができ、且つ組立工程を簡略化することができる。
【発明を実施するための最良の形態】
【０００９】
次に、本発明の好適な実施の形態にかかる光ディスク装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１０】
図１は、本発明の実施の形態にかかる光ディスク装置の筐体内に配設されるユニットメカからユニットカバーを取外した状態を示す斜視図であって、装着された光ディスクの外周部に対応する位置に光ピックアップが移動した状態を示す図、図２は、図１に示すユニットメカにおいて、装着された光ディスクの内周部に対応する位置に光ピックアップが移動した状態を示す斜視図、図３は、図１に示すユニットメカを他の方向から見た状態を示す斜視図、図４は、図１に示すユニットメカの構成要素であるガイド軸保持部材を示す斜視図、図５は、図１に示すユニットメカの構成要素である反射型フォトセンサ付近を模式的に示す図であって、反射型フォトセンサがＯＦＦ状態である図、図６は、図１に示すユニットメカの構成要素である反射型フォトセンサ付近を模式的に示す図であって、反射型フォトセンサがＯＮ状態である図である。なお、前記各図では、説明を判り易くするため、各部材の厚さやサイズ、拡大・縮小率等は、実際のものとは一致させずに記載した。
【００１１】
図１〜図３に示すように、本実施の形態にかかる光ディスク装置の筐体内に配設されるユニットメカ１０は、周囲部分を占める骨格となるシャーシ１１を備えている。このシャーシ１１には、装着された光ディスクを回転駆動させるスピンドルモータ１２と、光ディスクの情報記録面に対し、信号の記録及び／または再生を行う光ピックアップ１３と、光ピックアップ１３を支持し、光ピックアップ１３の移動をガイドするガイド軸１４Ａ及び１４Ｂと、シャーシ１１に配設され、光ピックアップ１３の位置を検出する反射型フォトセンサ１５と、シャーシ１１の反射型フォトセンサ１５と対向する位置に配設された黒色部材１６と、を備えている。
【００１２】
なお、本実施の形態にかかる光ディスク装置は、筐体の前面で光ディスクの取込み・排出を行い、前面とユニットメカ１０との間は、光ディスクを内部の機構で自動的に搬送して脱着させるスロット方式であってもよく、光ディスクの脱着の際にユニットメカ１０が内部に固定された状態でトレイが筐体の前方に突出するトレイ方式や、光ディスクの脱着が筐体の上部カバーの開閉で行われる上部開閉方式等であってもよい。
【００１３】
スピンドルモータ１２の上部には、光ディスクをその外周に装着してチャッキングするターンテーブル１２０が配設されている。
【００１４】
光ピックアップ１３は、ターンテーブル１２０に装着された光ディスクとの情報の記録及び／または再生を行う、例えば、レーザダイオード・レーザ駆動ＩＣ等を備えている。この光ピックアップ１３は、その両側が、シャーシ１１に配設されているメインシャフトとしてのガイド軸１４Ａと、サブシャフトとしてのガイド軸１４Ｂに、各々移動可能に支持されている。また、光ピックアップ１３は、シャーシ１１のガイド軸１４Ａの奥側先端部（スピンドルモータ１２側）の近傍に配設された光ピックアップ駆動装置１７に接続されている。そして、光ピックアップ駆動装置１７から駆動力を得て、ガイド軸１４Ａ及び１４Ｂに沿って、光ディスクの径方向に移動する。なお、ガイド軸１４Ｂは、シャーシ１１に配設されたガイド軸保持部材３０によって保持されている。
【００１５】
光ピックアップ１３のガイド軸１４Ｂ側であって、スピンドルモータ１２側となる先端には、後に詳述する反射型フォトセンサ１５から照射された光を反射する反射板２１が配設されている。この反射板２１は、例えば、金属からなり、図２に示すように、光ピックアップ１３が、ターンテーブル１２０に装着されている光ディスクの最内周位置に移動した際に、図６に示すように、反射型フォトセンサ１５と黒色部材１６との間に位置するようになっている。
【００１６】
なお、光ピックアップ１３のスピンドルモータ１２と離れた端部には、光ディスク装置の筐体内に配設される図示しない回路基板と、光ピックアップ１３とを接続するフレキシブル配線（ＦＰＣ）１９が延出されている。
【００１７】
反射型フォトセンサ１５は、光ピックアップ１３の位置を検出するための位置検出スイッチとしての役割を果たすものであり、図５及び図６に示すように、発光部（発光素子）としてＬＥＤ２５と、受光部（受光素子）としてフォトダイオード２６を備えている。この反射型フォトセンサ１５は、シャーシ１１の、光ピックアップ１３が光ディスクの最内周位置に移動した際に反射板２１と対向する位置に配設されている。そして、図２に示すように、光ピックアップ１３が光ディスクの最内周位置に移動した際に、ＬＥＤ２５から照射され、反射板２１に到達した光がこの反射板２１によって反射され、フォトダイオード２６に入射される（図６参照）ようになっている。この動作によって、反射型フォトセンサ１５（位置検出スイッチ）が、例えばＯＮ状態となる。一方、図１に示すように、光ピックアップ１３が光ディスクの最内周位置から外周位置に移動した際には、ＬＥＤ２５から照射した光は、後に詳述する黒色部材１６に入射し、フォトダイオード２６への入射は、ＯＮ状態に比べ少なくなるようになっている。（図５参照）。この動作では、反射型フォトセンサ１５（位置検出スイッチ）が、例えばＯＦＦ状態となる。
【００１８】
また、反射型フォトセンサ１５と対向する位置には、この反射型フォトセンサ１５と所定間隔をおいて、黒色部材１６が配設されている。この黒色部材１６は、ガイド軸保持部材３０のスピンドルモータ１２側の先端に一体的に形成されており、ガイド軸保持部材３０をシャーシ１１に配設した際に、反射型フォトセンサ１５と対向する位置に配置されるようになっている。具体的には、黒色部材１６は、ガイド軸保持部材３０の長手方向（光ピックアップ１３が移動する方向）に対し略垂直な方向に屈折した状態でガイド軸保持部材３０に連続形成されており、図４に示すように、ガイド軸保持部材３０と黒色部材１６は平面視で略Ｌ字状を呈している。なお、このガイド軸保持部材３０と黒色部材１６は、黒色の樹脂によって一体的にモールド成形されている。
【００１９】
この構成により、黒色部材１６は、従来のように、シャーシ１１の所定位置に貼付ける等の追加工程を行うことなく、シャーシ１１にガイド軸保持部材３０を配設することで、シャーシ１１の反射型フォトセンサ１５と対向する位置（光ピックアップ１３が光ディスクの最内周位置に移動した際に反射板２１と対向する位置）に配設することができる。したがって、位置合わせを簡単に行うことができると共に、組立工程を簡略化することができる。また、部品点数を削減することもできると共に、黒色部材１６を配置し忘れる等の不具合が生じることも抑制できる。
【００２０】
ここで、反射型フォトセンサ１５の動作の安定化を図る要因の一つである反射型フォトセンサ１５と黒色部材１６との距離は、周辺部品の特性に応じて選択されるが、黒色部材１６は、モールド成形によって形成されているため、黒色部材１６の厚さ変更を成形時に行うことができる。したがって、反射型フォトセンサ１５と黒色部材１６との距離の変更が容易であり、反射型フォトセンサ１５の動作の安定化を簡単に図ることもできる。
【００２１】
なお、本実施の形態では、ガイド軸保持部材３０の先端に黒色部材１６を一体的に形成した場合について説明したが、これに限らず、黒色部材１６は、例えば、シャーシ１１と共に黒色の樹脂をモールド成形することで、反射型フォトセンサ１５と対向する位置に配設してもよい。具体的には、黒色部材１６は、図７に示すように、シャーシ１１をモールド成形する際に、このシャーシ１１の、光ピックアップ１３が光ディスクの最内周位置に移動した際に反射板２１と対向する位置に、黒色部材１６を一体的に成形することで、配設してもよい。この構成の場合、シャーシ１１の所定位置に黒色部材１６を形成することができる金型を使用して、モールド成形を行うだけで、シャーシ１１の所定位置に黒色部材１６を配設することができる。したがって、従来のように、シャーシ１１の所定位置に黒色部材１６を貼付ける等の追加工程を行うことなく、黒色部材１６の位置合わせを簡単に行うことができると共に、組立工程を簡略化することができる。また、部品点数を削減することもできると共に、黒色部材１６を配置し忘れる等の不具合が生じることも抑制できる。
【００２２】
また、黒色部材１６は、例えば、シャーシ１１に部品を固定する固定部材（例えば、ネジやかしめ等）と共に黒色の樹脂をモールド成形することで、反射型フォトセンサ１５と対向する位置に配設してもよい。具体的には、黒色部材１６は、例えば、図８に示すように、シャーシ１１にスピンドルモータ１２を固定するための固定部材２９と一体的に形成し、固定部材２９によってシャーシ１１にスピンドルモータ１２を固定した際に、反射型フォトセンサ１５と対向する位置に配設してもよい。この構成の場合、固定部材２９の所定位置に黒色部材１６を形成することができる金型を使用して、モールド成形を行うだけで、固定部材２９に黒色部材１６を形成することができ、シャーシ１１に部品を固定するという通常の工程を行うことで、黒色部材１６を所定位置に配設することができる。したがって、従来のように、シャーシ１１の所定位置に黒色部材１６を貼付ける等の追加工程を行うことなく、黒色部材１６の位置合わせを簡単に行うことができると共に、組立工程を簡略化することができる。また、部品点数を削減することもできると共に、黒色部材１６を配置し忘れる等の不具合が生じることも抑制できる。
【図面の簡単な説明】
【００２３】
【図１】本発明の実施の形態にかかる光ディスク装置の筐体内に配設されるユニットメカからユニットカバーを取外した状態を示す斜視図であって、装着された光ディスクの外周部に対応する位置に光ピックアップが移動した状態を示す図である。
【図２】図１に示すユニットメカにおいて、装着された光ディスクの内周部に対応する位置に光ピックアップが移動した状態を示す斜視図である。
【図３】図１に示すユニットメカを他の方向から見た状態を示す斜視図である。
【図４】図１に示すユニットメカの構成要素であるガイド軸保持部材を示す斜視図である。
【図５】図１に示すユニットメカの構成要素である反射型フォトセンサ付近を模式的に示す図であって、反射型フォトセンサがＯＦＦ状態である図である。
【図６】図１に示すユニットメカの構成要素である反射型フォトセンサ付近を模式的に示す図であって、反射型フォトセンサがＯＮ状態である図である。
【図７】本発明の他の実施の形態にかかるユニットメカの斜視図である。
【図８】本発明の他の実施の形態にかかるユニットメカの斜視図である。
【符号の説明】
【００２４】
１０…ユニットメカ、  １１…シャーシ、  １２…スピンドルモータ、  １３…光ピックアップ、  １４Ａ、１４Ｂ…ガイド軸、  １５…反射型フォトセンサ、  １６…黒色部材、  ２１…反射板、  ３０…ガイド軸保持部材
【図１】
2009259352.tif 000003
【図２】
2009259352.tif 000004
【図３】
2009259352.tif 000005
【図４】
2009259352.tif 000006
【図５】
2009259352.tif 000007
【図６】
2009259352.tif 000008
【図７】
2009259352.tif 000009
【図８】
2009259352.tif 000010